(57)【要約】【課題】傾斜屋根としての天板を収納ケースと一体に形成し、その取付作業及び取り外しを容易にできるようにした冷凍装置収納ケースを提供する。【解決手段】収納ケース１の傾斜屋根としての天板１２を二分割(１２L、１２R)し、内面側に係止片１３をそれぞれ取り付ける。これらの天板１２L、１２Rは、対向縁片１２bを収納ケース１の上方開口端に取り付けた支持桟材９及び受止桟材１０にそれぞれ止めねじで固定すると共に、端縁片１２cをねじ受け桟材１１にそれぞれねじ止めする。この時、天板１２L、１２Rの係止片１３が受止桟材１０より中央寄りになるように位置させることにより、当該受止桟材１０と係止片１３とで滑落を防止するためのストッパ手段を構成する。天板１２L、１２Rの中央部の隙間はカバー材１４をねじ止めして被覆する。【選択図】図１
2007101017.tif 000002
【特許請求の範囲】
【請求項１】
冷凍装置を収納したケースにおいて、このケースの天板は、ケースの中央部からケースの側面方向に下傾して取り付けられたことを特徴とする冷凍装置収納ケース。
【請求項２】
前記ケースの上面に受止桟材を取り付け、前記天板の内面側に係止片を取り付け、この係止片を前記受止桟材に係止することで、天板の取り付け又は取り外しの際に天板の滑落を防止するストッパ手段を構成したことを特徴とする請求項１に記載の冷凍装置収納ケース。
【発明の詳細な説明】
【技術分野】
【０００１】
本発明は、冷凍装置収納ケースに係るもので、特に屋外に設置する大型の収納ケースの天板構造に関するものである。
【背景技術】
【０００２】
冷凍ショーケース例えばスーパーマーケット等の店舗に設置される冷凍ショーケースは、屋外に設置される屋外ユニットと、店舗内に設置される室内ユニットとからなり、屋外ユニットには通常圧縮機、凝縮器、レシーバタンク及びアキュムレータ等が収納され、店舗内に設置される室内ユニットには減圧装置、蒸発器及びその他の機器等が収納され、これらを配管接続することにより冷媒回路が構成されている。
【０００３】
スーパーマーケット等の大型店においては、店舗内に複数の冷凍ショーケースを設置することが多く、このような場合には屋外ユニット内に複数の圧縮機を収納し、これらに対応させて複数の冷媒回路を形成することが行われている。屋外ユニットに複数の圧縮機を収納する場合には、かなり大型の収納ケースを必要とする。そして、凝縮器等の他の機器は圧縮機と一緒に収納しないで他の収納ケースに分離して収納するようにしている。
【０００４】
上記大型の収納ケースの場合において、標準大の収納ケースの場合と同様に直方体形の収納ケースが用いられ、その天板は平坦面になっているのが一般的である。収納ケースは前記のように屋外に設置されるため、平らな天板上には雨水や埃等が溜り易く、錆や汚染等の発生を招くことになる。
【０００５】
従来エアコンの室外機も直方体形の収納ケースが用いられており、その天板は平らになっているが、天板上に日除け屋根を設けたものが存在している(例えば、特許文献１)。これは直方体形の収納ケースの天板上に、角度調整が可能な日除け屋根を収納ケースの正面方向に傾斜させて取り付けたものである。これにより、積雪が未然に防止できると共に、落ち葉の付着も緩和でき、室外機の保護と美観を向上させることができるのである。
【特許文献１】特開平１１−１５９８０９号公報
【発明の開示】
【発明が解決しようとする課題】
【０００６】
上記日除け屋根を設けた室外機の場合には、日除け屋根は収納ケースとは別体に形成され、屋根固定具と角度調整可能な支持具とを介して収納ケースに取り付ける構成になっている。エアコンの室外機は、前記業務用の冷凍ショーケースにおける屋外ユニットに比して形状が小さいため、日除け屋根の取り付けは比較的容易にできるが、冷凍ショーケースの屋外ユニットで特に複数の圧縮機を収納した収納ケースの上部に傾斜屋根を取り付けるとなると、その取付作業は容易なものではない。
【０００７】
本発明は、このような従来技術の問題を解決するためになされたもので、傾斜屋根としての天板を収納ケースと一体に形成し、その取付作業及び取り外しを容易にできるようにした冷凍装置収納ケースを提供することを目的とする。
【課題を解決するための手段】
【０００８】
上記の目的を達成するために、本発明に係る請求項１の冷凍装置収納ケースは、冷凍装置を収納したケースにおいて、このケースの天板は、ケースの中央部からケースの側面方向に下傾して取り付けられたことを特徴とする。
【０００９】
本発明に係る請求項２の冷凍装置収納ケースは、請求項１において前記ケースの上面に受止桟材を取り付け、前記天板の内面側に係止片を取り付け、この係止片を前記受止桟材に係止することで、天板の取り付け又は取り外しの際に天板滑落を防止するストッパ手段を構成したことを特徴とする。
【発明の効果】
【００１０】
上記請求項１の発明によれば、冷凍装置を収納したケースの傾斜屋根としての天板を一体に組み込む構成であるため、従来のように傾斜屋根をケースとは別体に形成する必要がない。傾斜屋根としての天板は、ケースの中央部からケースの側面方向に下傾して取り付ける構成であるため、形状が大きな天板であっても取り扱いが簡単であり、比較的容易に取り付けることができる。
【００１１】
上記請求項２の発明によれば、天板の内面側に係止片が取り付けられており、この係止片をケースの上面に固定された受止桟材に係止することで、天板の滑落を防止することができる。これにより、天板の取り付けの際に、天板を仮固定できると共に位置決めが容易にできるため、天板の取付作業がし易くなる。又、メンテナンスの時など天板の止めねじを全部外しても受止桟材に受止されて滑り落ちないため、天板の取り外し作業がし易くなると共に作業の安全性を確保することができる。
【発明を実施するための最良の形態】
【００１２】
次に、本発明に係る冷凍装置収納ケースの実施形態に付いて添付図面を参照しながら説明する。図１ないし図３は、本発明を複数の圧縮機を収納した大型の収納ケースに適用した実施形態を示すものであり、図１は当該収納ケースの上部分解図及びその要部の拡大図、図２は傾斜屋根となる天板を取り付けた状態図及びその要部の拡大断面図、第３図は収納ケースの全体を示す概略斜視図である。
【００１３】
図１において、１は金属製の収納ケースであり、図示を省略した底板と、前板２と後板３と左右の側板４とを備え、底板に立設した４本の支柱５及び前面と後面における中間に位置する縦桟材６を介して前板２、後板３、左右の側板４をそれぞれ取り付け、上方開口端には対向する長辺方向に沿ってそれぞれ差し渡した長横桟材７と、対向する短辺方向に沿ってそれぞれ差し渡した短横桟材８とを取り付けることにより、直方体形を呈する箱体に形成されている。
【００１４】
又、上記収納ケース１の上方開口端には、その中央部に支持桟材９が前記長横桟材７に差し渡して取り付けられ、この支持桟材９の両側方に振り分けて受止桟材１０が長横桟材７にそれぞれ差し渡して取り付けられている。支持桟材９は、両側の水平片９aと、この水平片９aの内側端からそれぞれ立ち上げた垂直片９bと、この垂直片９bの上端を連結する水平の張出片９cとが一体に形成され、張出片９cの両端部には下向きの折曲片９dがそれぞれ連設され、その折曲片９dに２つのねじ孔９eが所定の間隔をあけてそれぞれ形成されている。
【００１５】
前記受止桟材１０は、水平片１０aと、この水平片１０aの一側端から立ち上げた垂直片１０bとを備えた断面略L字形に形成され、水平片１０aの両端部には上向きの折曲片１０cが連設され、その折曲片１０cにねじ孔１０dがそれぞれ形成されている。
【００１６】
更に、収納ケース１の上方開口端近傍における外側面には、ねじ受け桟材１１がそれぞれ前記支柱５に差し渡して固定されている。このねじ受け桟材１１は、支柱５に取り付ける垂直片１１aと、この垂直片１１aの下端から外向きに水平に張り出した短い張出片１１bと、この張出片１１bの先端から下向きに連設された垂直片１１cとを備えた形状に形成され、垂直片１１cの両端部近傍にはねじ孔１１dがそれぞれ形成されている。
【００１７】
収納ケース１の上方開口端には傾斜屋根となる天板１２が取り付けられるが、この天板１２は左右の天板１２L、１２Rに二分割されている。天板１２L、１２Rは左右対称になっており、同じ構成であるから天板１２Rについて構成を説明し、天板１２Lについては天板１２Rと同じ構成部材は同一の符号をつけてその詳しい説明は省略する。天板１２Rの構成は、基板１２aと、この基板１２aの対向する長辺方向に沿って下向きにそれぞれ折曲された前後の縁片１２bと、外側に位置する短辺方向に沿って下向きに折曲された端縁片１２cとを備えている。そして、前後の縁片１２bは外側方向に向かって高さが徐々に低く形成され、前記支持部材９のねじ孔９e及び受止部材１０のねじ孔１０dに対応する通孔１２dが形成され、端縁片１２cには前記ねじ受け桟材１１のねじ孔１１dに対応する通孔１２eがそれぞれ形成されている。又、基板１２aの内側には前記受止桟材１０に係止する係止片１３が前後方向(短辺方向と平行)に沿って取り付けられている。この係止片１３は基板１２aへの取付片１３aと、この取付片１３aの一側端から下向きに折曲された折曲片１３bとを備えている。
【００１８】
１４は前記左右の天板１２L、１２Rの合わせ部における隙間を閉塞するためのカバー材であり、水平板１４aとその対向する短辺方向に沿って下向きに折曲された垂直片１４bとを備え、この垂直片１４bには前記一対の支持部材９におけるねじ孔９eに対応する通孔１４ｃがそれぞれ形成されている。
【００１９】
上記構成の天板１２の取り付けに際しては、左右の天板１２L、１２Rで同じ要領であるからその一方について説明する。例えば天板１２Rを取り付けるには、先ず収納ケース１の上方開口端における右半部に被せる。この時、図２に示すように天板１２Rの係止片１３が前記受止桟材１０より中央寄りに位置するようにすると、係止片１３の折曲片１３bが受止桟材１０の垂直片１０bに係止する。これにより、天板１２Rから手を放しても係止片１３が受止桟材１０により受止されるので滑落することはない。つまり、天板１２Rの係止片１３と、受止桟材１０とでストッパ手段１５が構成されており、このストッパ手段１５により天板１２Rの滑落を防止できると共に、天板１２Rの位置決めを容易に行うことができる。
【００２０】
天板１２Rを位置決めした後、取付順序は限定されないが例えば前後の縁片１２bのほぼ中央部を、前記通孔１２dから止めねじB１(図３)を差し込んで受止桟材１０のねじ孔１０dに螺着することで固定し、端縁片１２cはその通孔１２eから止めねじB２(図３)を差し込んで前記ねじ受け桟材１１のねじ孔１１dに螺着することで固定する。この段階では天板１２Rの中央側は前記支持桟材９にねじ止めしない。
【００２１】
これと同じ要領にて天板１２Lを取り付けるが、この取り付けの際にも天板１２Lの係止片１３が前記受止桟材１０より中央寄りに位置するようにすると、係止片１３の折曲片１３bが受止桟材１０の垂直片１０bに係止する。これにより、天板１２Lは受止桟材１０により受止されて滑落することはなく、天板１２Lの位置決めを容易に行うことができる。
【００２２】
このようにして、左右の天板１２L、１２Rを固定した後、前記カバー材１４を中央部に被せて左右の天板１２Ｌ、１２Ｒ間に生じている隙間を閉塞し、カバー材１４の通孔１４cと天板１２L又は天板１２Rの通孔１２dとの位置を合わせ、止めねじB３(図３)を差し込んで前記一対の支持桟材９のねじ孔９eにそれぞれ螺着することでカバー材１４と左右の天板１２L、１２Rの縁片１２bにおける中央側を同時に固定する。
【００２３】
図３は、天板１２を取り付けた後の状態を示しており、左右の天板１２L、１２Rは中央部を境にして両側にそれぞれ収納ケース１の側面方向に下傾して取り付けられ、いわば両流れ形式の傾斜屋根を形成することになる。図３において、１６は収納ケース１内に収納されている複数の圧縮機であり、１７は収納ケース１の底部に設けられた台桟材である。この場合、収納ケース１の大きさはかなり大型のものとなり、例えば平面から見て長辺方向の長さは約２m、短辺方向の長さは約１mである。左右の天板１２L、１２Rの傾斜角度は１０度未満であるが、これに限定されることなく任意に設定することが可能である。
【００２４】
この収納ケース１は前記のように屋外に設置されるが、天板１２が傾斜屋根となっているため、従来の平らな天板に比して雨水や埃等が溜り難くなり、錆や汚染等の発生を極力防止することができる。又、メンテナンス時等において天板１２を取り外す際には、前記止めねじB３を外してカバー材１４を取り外した後、左右の天板１２L、１２Rの外周部の止めねじB１、B２を全部外したとしても、左右の天板１２L、１２Rはいずれも前記係止片１３が受止桟材１０により受止されるため、収納ケース１の側面方向に滑落することはない。これにより、天板１２の取り外し作業を容易に行うことができ、天板１２の滑落による破損がなく、又作業者の怪我等を未然に防止できるので安全である。
【００２５】
本実施形態では、冷凍装置の収納ケースでしかも複数の圧縮機を収納した例で説明したが、冷凍装置の屋外ユニットとして圧縮機と共に、凝縮器、レシーバタンク及びアキュムレータ等を収納した収納ケースに適用することができる。
【産業上の利用可能性】
【００２６】
本発明は、冷凍装置の屋外用収納ケースに利用することができ、特に業務用で大型の冷凍装置の収納ケースに適用すると顕著な効果が得られるものである。
【図面の簡単な説明】
【００２７】
【図１】本発明に係る冷凍装置収納ケースの実施形態を示す上部の分解図及びその要部の拡大図である。
【図２】本発明に係る冷凍装置収納ケースの実施形態における傾斜屋根となる天板を取り付けた状態図及びその要部の拡大断面図である。
【図３】本発明に係る冷凍装置収納ケースの実施形態における収納ケースの全体を示す概略斜視図である。
【符号の説明】
【００２８】
１  収納ケース
２  前板
３  後板
４  側板
５  支柱
６  縦桟材
７  長横桟材
８  短横桟材
９  支持桟材
１０  受止桟材
１１  ねじ受け桟材
１２  天板
１３  係止片
１４  カバー材
１５  ストッパ手段
１６  圧縮機
１７  台桟材
【図１】
2007101017.tif 000003
【図２】
2007101017.tif 000004
【図３】
2007101017.tif 000005